(57)【特許請求の範囲】
【請求項１】
ネット部材からなるかつらベースに複数の毛髪が植設されて成るかつらであって、
上記ネット部材は、糸の方向の異なる複数の網目が規則的に連接されてなることを特徴とする、かつら。
【請求項２】
前記ネット部材は、糸の方向の異なる網目パターンが規則的に連接されてなることを特徴とする、請求項１に記載のかつら。
【請求項３】
前記ネット部材は、隣接する網目パターン同士の網目形状が異なることを特徴とする、請求項１または２に記載のかつら。
【請求項４】
前記ネット部材は、二種類の網目パターンが市松模様状に連接されてなることを特徴とする、請求項１から３のいずれかに記載のかつら。
【請求項５】
前記二種類の網目パターンは、六角形の網目を有する網目パターンと八角形の網目を有する網目パターンとからなることを特徴とする、請求項４に記載のかつら。
【請求項６】
前記ネット部材は、三種類以上の網目パターンが碁盤目状に連接されてなることを特徴とする、請求項１から３のいずれかに記載のかつら。
【請求項７】
前記ネット部材は、隣接する網目パターン同士の間に連結部を備えることを特徴とする、請求項１から６のいずれかに記載のかつら。
【請求項８】
前記連結部に用いられるネット編成糸の径は、前記網目パターンを構成する他の部位のネット編成糸の径よりも太くなっていることを特徴とする、請求項７に記載のかつら。
【請求項９】
網目パターン同士の境により画成される１つの区画が３．０ｃｍ×３．０ｃｍ以下であることを特徴とする、請求項１から８のいずれかに記載のかつら。
【発明の詳細な説明】
【技術分野】
【０００１】
本発明はかつらに係り、特に、かつらベースがネット部材から成るかつらに関する。
【背景技術】
【０００２】
従来、かつらは、ネットや人工皮膚などのかつらベースに天然毛髪や人工毛髪などの毛髪を植設することにより作製される。人工皮膚で作製されるかつらは、ネットで作製されるかつらと比較すると、形状保持性には優れるが通気性が劣ることがある。快適さを追求するかつらにおいて、通気性の確保は重要な要素である。そのため、特許文献１の図２や特許文献２に開示されているように、同一形状の網目からなるネットが一面に張られて作製されるかつらも多い。
【０００３】
【特許文献１】特開平７−２２９００９号公報
【特許文献２】特開平９−２７３０１６号公報
【発明の開示】
【発明が解決しようとする課題】
【０００４】
しかしながら、ネットからなるかつらベースに毛髪を植設して成るかつらは、毛髪が倒れてしまうことにより、意図しない不自然な髪の分け目、すなわち毛割れが生じて、所望のへアスタイルが作れなくなることがある。また、毛割れによりその部分のネットが露見し、かつらの装着が他人に知られてしまうという問題がある。以下、詳説する。
【０００５】
通常、毛髪はネット網目のうち縦糸もしくは横糸の一方に結びつけることで所定の間隔をあけて規則的に植設される。植設は通常手作業で行われ、一定方向に毛髪を引っ張ることで結びつけられるから、植設された毛髪は結びつけられたネットを構成する糸に対して垂直な一定の方向へ向かう方向性を有する。このような植設方法によれば、植設された毛髪が同一方向に規則正しく並ぶので、上方向からの力が何度か加わると毛髪が立ち上がらずに寝てしまうことがある。
【０００６】
毛髪が立ち上がり、ボリュームが出ている場合には毛割れは発生しにくい。また、毛先をスタイリングすることで毛割れを露見させないようにすることが可能である。しかし、植設した毛髪が立ち上がらずに寝てしまうと、毛髪が根元から分かれ易くなる。また、毛髪が寝ている場合、一度毛割れが発生すると、スタイリングにより修正しても、時間が経過すると毛割れが再度発生してしまうことが多い。
【０００７】
ここで、特許文献２の図８に開示されているように、ネット部材の縦糸及び横糸に複数本の毛髪を植設する方法も考えられる。このように毛髪を植設したかつらによれば、従来のかつらに比べ毛量が多くなり、植設した毛髪が立ち上がるので、上述したように毛髪が立ち上がらないことによる毛髪の根元付近に発生する毛割れを防ぐことができる。しかし、このようなかつらでは必要以上に毛量が多くなってしまう。
【０００８】
また、他の問題として、ネットで作製されるかつらは、長期間使用していると、かつら脱着時に生じる引っ張り荷重によって、ネットを構成している縦糸または横糸が伸びてしまい、ネットにシワが生じることがある。このようにしてネットに生じたシワは、かつら自体の形状が歪む原因となるとともに、シワをきっかけとしたネットの破損を生じやすくする。このシワの発生の原因は、ネットを、縦糸又は横糸に平行な方向に引っ張った場合に、その平行な糸自体が伸びてしまい、歪みが生じてしまうことにある。
【０００９】
このようなシワはフィット感の低下、ネットの破損、かつらの変形等の原因となり、さらに、このシワを境として両側の毛髪に互いに背反する指向性が生じ、毛髪が背反する方向に倒れてしまうことにより、意図しない不自然な髪の分け目、すなわち毛割れが生じてしまうことがある。
【００１０】
一方、ネットのシワを防ぐために、２枚以上のネットを重ねてかつらを作製することもなされているが、ネットを重ねることでかつらが厚くなり、装着感の低下や通気性の低下などの原因となる。
【００１１】
本発明は、上記問題点に鑑みてなされたものであり、ネットで作製されたかつらベースを使用し、毛割れやシワが生じにくいかつらを提供することを目的とする。
【課題を解決するための手段】
【００１２】
上記目的を達成するため、本発明のかつらは、ネット部材からなるかつらベースに複数の毛髪が植設されて成るかつらであって、ネット部材が、糸の方向の異なる複数の網目が規則的に連接されてなることを特徴とする。
【００１３】
また、ネット部材は、糸の方向の異なる網目パターンが規則的に連接されてなることが望ましい。
【００１４】
さらに、ネット部材は、隣接する網目パターン同士の網目形状が異なることが望ましい。
【００１５】
ネット部材は、二種類の網目パターンが市松模様状に連接されてなるものであってもよい。その場合、二種類の網目パターンは、六角形の網目を有する網目パターンと八角形の網目を有する網目パターンとからなることが望ましい。
【００１６】
ネット部材は、三種類以上の網目パターンが碁盤目状に連接されてなるものであってもよい。
【００１７】
ネット部材は、隣接する網目パターン同士の間に連結部を備えることが望ましい。この場合、連結部に用いられるネット編成糸の径は、網目パターンを構成する他の部位のネット編成糸の径よりも太くなっていることが望ましい。
【００１８】
網目パターン同士の境により画成される１つの区画は３．０ｃｍ×３．０ｃｍ以下であることが望ましい。
【発明の効果】
【００１９】
本発明のかつらによれば、ネット部材が、糸の方向の異なる複数の網目が規則的に連接されてなることにより、異なる網目の相互間でネット部材にかかる力が分散され、シワが生じにくい。
【００２０】
糸の方向の異なる網目パターンが規則的に連接されている場合、特に隣接する網目パターン同士の網目形状が異なる場合には、二種類の網目パターンが市松模様状に連接される場合や、三種類以上の網目パターンが碁盤目状に連接されてなる場合のいずれであっても、異なる網目パターンの相互間でネット部材にかかる力が分散され、シワが生じにくい。
【００２１】
六角形の網目を有する網目パターンと八角形の網目を有する網目パターンとは、糸の方向が全て異なるため、特にシワが生じにくい。
【００２２】
隣接する網目パターン同士の間に連結部を備え、特に連結部に用いられるネット編成糸の径が網目パターンを構成する他の部位のネット編成糸の径よりも太くなっている場合には、この連結部においてネット部材にかかる加重が吸収され、シワが生じにくい。
【００２３】
網目パターン同士の境により画成される１つの区画が３．０ｃｍ×３．０ｃｍ以下である場合は、特にシワが生じにくい。
【発明を実施するための最良の形態】
【００２４】
以下、本発明の好ましい実施の形態を、添付図面を参照しながら詳細に説明する。
図１乃至４は、第一乃至第四の実施形態に係るかつらの一部を模式的に示す平面図である。かつら１，１２，１３，１４は、ネット部材２，２２，２３，２４からなるかつらベースに複数の毛髪が植設されて成るものである。なお、図はネット部材の一部を拡大して示し、毛髪及びかつら全体は図示を省略している。
【００２５】
ネット部材はフィラメントと呼ばれる糸がほぼ平面状に織られてなるものであるが、フィラメントの編み込みにより平面的に閉じられた最小単位を「網目」という。また、同一形状の網目の集合を「網目パターン」という。さらに、網目パターンがある境界線を境に異なる場合、この境界線により画成される同一の網目パターンからなる領域を、「区画」という。
【００２６】
ネット部材２，２２，２３，２４はいずれも、糸の方向の異なる網目パターンが規則的に連接するよう織られてなり、より具体的には、四角形、六角形または八角形の網目を有する各網目パターンが市松模様状または碁盤目状に連接されてなることを特徴としている。ネット部材は、例として図６（Ａ）に第四の実施形態に係るかつらに用いられるネット部材の拡大写真を示すように、面内に碁盤目状の区画が画成されており、それぞれの区画のフィラメントの織り方、すなわち網目パターンが、隣接する区画と異なっている。このように複数の織り方が連続的になされたネットは各種販売されており、これらを適宜利用することができる。
【００２７】
説明の都合上、図１乃至４において、マス目状に画成された区画の列をＡ、Ｂ、Ｃ・・・とし、同様に行をａ、ｂ、ｃ・・・とする。各区画内に表示されている数字「４」、「６」および「８」は、その区画内における網目の辺の数を表し、「四角形」、「六角形」および「八角形」であることを示している。また、区画同士が一辺を共有することを隣接、一角を共有することを点接と表現する。なお、隣接には、区画同士が連結部を介して接続されている場合を含む。
【００２８】
隣接するパターンの網目形状が異なり、糸の方向が異なることにより、かつらベースを引っ張った場合であっても引っ張り応力が分散され吸収されるから、シワの発生を防ぐことができる。
【００２９】
また、糸の方向が異なることにより、その糸に植設された毛髪の指向性が異なることとなり、毛割れを防ぐことができる。これについて以下詳説する。ネット部材のフィラメントに毛髪を植設すると、植設された毛髪はフィラメントに対し垂直で、かつネット部材に対し植設時の引っ張り方向に傾く指向性を有する。仮に、図７（Ａ）に毛髪及びその指向性を矢印で表現して示すように、毛髪を四角形の網目Ｓの４辺すべてに植設すると共に、隣接する区画の八角形の網目Ｔの８辺すべてに植設した場合、八角形の網目Ｔに植設した４方向の毛髪Ｔ１、Ｔ３、Ｔ５、およびＴ７は四角形の網目Ｓに植設した毛髪Ｓ１、Ｓ２、Ｓ３、およびＳ４と同一の指向性をもつが、他の４方向の毛髪Ｔ２、Ｔ４、Ｔ６、およびＴ８が四角形の網目Ｓに植設した毛髪Ｓ１、Ｓ２、Ｓ３、およびＳ４とのいずれとも異なる指向性をもつので、毛髪が相互に交差し寄り掛かるようにして毛髪が立ち上がることにより、毛割れを防止できる。このような毛髪同士の指向性の違いは、隣接する網目パターンが異なる場合に起こるが、特に隣接する網目パターンが六角形と八角形の場合、六角形を構成する辺の向きと八角形を構成する辺の向きとがいずれも同一でないから、特に指向性の違いが大きく、六角形と八角形のいずれもそれぞれ任意の一辺ずつに植設した場合であっても、必ず異なる網目パターンに植設された毛髪同士の指向性が異なることとなる。
【００３０】
この時の毛髪同士の状態は、図８に示すように、複数の毛髪Ｈが根元付近で相互に交差し支え合うようになる。そのため、毛髪が立ち上がると共に、根元付近で弾力的可動範囲２０が確保され、毛髪が様々な動きに対応することができるから、毛割れが生じにくい。
【００３１】
また、図７（Ｂ）に示すように、四角形の網目Ｓの４辺すべてに植設するとともに、八角形の網目の４方向のみに植設し、上記八角形に植設した毛髪の４方向中２方向の毛髪Ｔ１、およびＴ５が四角形に植設した毛髪Ｓ１、およびＳ３と同一の指向性をもち、他の２方向の毛髪Ｔ２およびＴ４が異なる指向性をもつようにした場合、四角形と八角形の網目に植設された毛髪の指向性が完全同一でないので、図８に示すように、複数の毛髪Ｈが根元付近で相互に交差し、支え合うような状態となる。
【００３２】
各実施形態のかつらはいずれもこのような構成をとっており、特別な植設方法に頼らず毛植え技術者が意識せずに公知の植設方法で植設した場合でも毛髪の指向性をバラけさせることができ、さらに、毛割れを防ぐことができる。以下、個々の実施形態に特有の特徴について説明する。
【００３３】
[第一実施形態]
第一実施形態のかつら１はネット部材２をかつらベースとし、ネット部材２にはマス目状の区画が画成されている。一区画は１．５ｃｍ×１．５ｃｍであり、一つの区画内に１００前後の網目がある。一つの網目は毛髪を植設可能な大きさで、かつ毛髪を植設したあとにネットが露見せず、かつらの装着が視認されないほどの大きさである。
【００３４】
図１に示すように、区画Ａａ、Ｂｂ、Ｃｃ、Ｄｄ、Ｃａ、Ｄｂ、Ｅｃなどは、１．５ｍｍ角程度の四角形の網目の集合体、すなわち四角形の網目パターンからなる。また、区画Ｂａ、Ｃｂ、Ｄｃ、Ｅｄ、Ａｂ、Ｂｃ、Ｃｄなどは対角線が１．５ｍｍ程度の八角形の網目の集合体、すなわち八角形の網目パターンからなる。
【００３５】
ここで、八角形の網目パターンからなる区画は、四角形の網目パターンからなる区画に隣接する位置に配設されている。また、同一の網目パターンからなる区画は、角隅同士が点接するように配設されている。すなわち、ネット部材２は、隣接する区画に異なる網目パターンからなる区画が配設され、市松模様状に互い違いになるように構成されている。
【００３６】
このように構成されたネット部材２をかつらベースとして使用すると、区画ごとにフィラメントの方向が異なるから、かつら脱着時に生じる引っ張り荷重、いわゆる荷重ベクトルが直線的に働かず、分散されて吸収される。そのため歪みが生じにくく、ネット部材に生じるシワを防止することができる。また、上述のようにフィラメントに植設された毛髪はフィラメントに対し垂直な指向性を有するところ、隣接する区画とフィラメントの方向が異なるから、何ら意図せず毛髪を植設した場合であっても、植設された毛髪は隣接する区画の毛髪と異なる指向性を有することとなる。そのため、毛髪が立ち上がるから、毛割れが生じにくい。
【００３７】
[第二実施形態]
次に、第二実施形態のかつらについて説明する。
第二実施形態のかつら１２は、第一実施形態のかつら１と同様、市松模様状のネット部材２２で構成されているが、網目の形状が第一実施形態のかつらと異なる。すなわち、図２に示すように、区画Ａａ、Ｂｂ、Ｃｃ、Ｄｄ、Ｃａ、Ｄｂ、Ｅｃなどは六角形の網目の集合体、すなわち六角形の網目パターンからなる。区画Ｂａ、Ｃｂ、Ｄｃ、Ｅｄ、Ａｂ、Ｂｃ、Ｃｄなどは八角形の網目の集合体、すなわち八角形の網目パターンからなり、この点は第一実施例のかつらと同様である。
【００３８】
ここで、八角形の網目パターンからなる区画は、六角形の網目パターンからなる区画に隣接する位置に配設されている。また、同一の網目パターンからなる区画は、角隅同士が点接するように配設されている。すなわち、ネット部材２２は、隣接する区画に異なる網目パターンからなる区画が配設され、市松模様状に互い違いになるように構成されている。
【００３９】
このように構成されたネット部材２２をかつらベースとして使用すると、区画ごとにフィラメントの方向が異なるから、かつら脱着時に生じる引っ張り荷重、いわゆる荷重ベクトルが直線的に働かず、分散され、吸収される。特に、四角形の網目であれば直線的に伸びる縦糸と横糸があるが、六角形や八角形の網目では、フィラメントが複数のマス目にわたって直線的に伸びる部分がない。そのため引っ張りに対して糸自体が伸びることがなく、マス目が変形して対応することができるから、ネット部材に歪みが生じにくく、シワを防止することができる。また、第一実施形態のかつら１と同様、植設された毛髪は隣接する区画の毛髪と異なる指向性を有することとなるから、毛割れの発生を防止することができる。
【００４０】
[第三実施形態]
次に、第三実施形態のかつらについて説明する。
第三実施形態のかつら１３は、異なる３種類の網目パターンからなる区画を碁盤目状に構成してなるネット部材２３で構成されている。
【００４１】
具体的には図３に示すように、区画Ａｂ、Ｂｃ、Ｃｄ、Ｄｅなどは八角形の網目の集合体からなり、それぞれの区画の角隅が点接する形で配設されている。また、区画Ａａ、Ａｃ、Ｃａ、Ｃｃなどは四角形の網目の集合体からなり、これらはそれぞれの区画が点接も隣接もしていない。さらに、区画Ｂｂ、Ｂｄ、Ｄｂ、Ｄｄなどは植設可能な大きさの六角形の網目の集合体からなり、上記四角形の区画と同様に、それぞれの区画が点接も隣接もしていない。
【００４２】
このように、隣接する区画に糸の方向の異なる網目パターンが配設されていればよく、四角形と六角形と八角形との区画が、それぞれ異なる位置に配設されていてもよい。
【００４３】
このように構成されたネット部材２３をかつらベースとして使用すると、区画ごとにフィラメントの方向が異なるから、かつら脱着時に生じる引っ張り荷重、いわゆる荷重ベクトルが直線的に働かず、分散され、吸収される。また、第一実施形態のかつら１と同様、植設された毛髪は隣接する区画の毛髪と異なる指向性を有することとなるから、毛割れの発生を防止することができる。
【００４４】
[第四実施形態]
次に、第四実施形態のかつらについて説明する。
第四実施形態のかつら１４は、第一実施形態と同様の構成であるが、図４（Ａ）に示すように、区画間の所定の位置、具体的には図において左右方向２つ置きの区画の間に、前後方向に沿って、連結糸６からなる連結部５が設けられている。すなわち、四角形の網目パターンと八角形の網目パターンとの境目は、例えばＡ列とＢ列との境目のように連結部５を介して連結されている部分と、例えばＢ列とＣ列との境目のように織り方を変えることによりパターンが変化している部分とがある。
【００４５】
図５（Ｄ）において図４（Ａ）の区画Ａａの右端付近の一部を例として拡大して示すように、連結部５に用いられているネット編成糸３の径は、他の部位のネット編成糸４の径よりも太くなっている。具体的にはネット編成糸３の径が約０．２５ｍｍ〜０．３ｍｍとなっており、他のネット編成糸４の径よりも約２５％〜５０％太くなっている。また、連結部５付近のネット編成糸は補強されて編み込まれている。そのため、画成される網目にひずみが起きるような強い引っ張り荷重が加わっても、過剰な伸びを抑制することでネット全体のシワを防ぐことができる。
【００４６】
連結部５は図４（Ａ）及び図５（Ｄ）において前後方向に設けられ、連結糸６は連結部５に用いられているネット編成糸３同士の間で前後方向と直交する方向に２本ずつ配設されている。
【００４７】
なお、連結部５は、図４（Ｂ）に示すように左右方向に沿って設けてもよいし、図５（Ｃ）に示すように、前後左右の両方向に設けてもよい。また、一区画ごとに連結部５を設けてもよい。
【００４８】
[かつらベースの作製]
次に、かつらベースの作製方法について説明する。いずれの実施形態であっても、作製方法は同様である。
【００４９】
第一工程として、かつら装着者の頭部形状に模した雄型の石膏型１０を作製し、図９に示すように石膏型１０上に外周線９ａ、かつら露見防止用帯状ネット取付線９ｂ、および第二の縫い目８ｂの位置を記入した。
【００５０】
第二工程として、かつら装着者の頭部形状にネットを成形する。まず、かつら作製に必要な線が記入された石膏型１０に、第二のネット部材２ｂを張り付けてステープルで固定する。第二のネット部材２ｂは、かつらベースとかつら装着者の自毛とを固定するためのかつら装着止め具などを取り付ける部位に縫製されるネットである。次いで、第一のネット部材２ａを連結部５が石膏型１０の前頭から後頭の前後方向と略平行になるように張り付けてステープルで固定したあと、第一のネット部材２ａと第二のネット部材２ｂの上から熱硬化性ウレタン樹脂溶液を塗布し、加熱温度１００℃で８時間乾燥させて成形を行った。ここで、使用した熱硬化性ウレタン樹脂溶液は、日新レジン株式会社製のＥ−６４Ａ（Ｎｏ．１．２．３）を６．５ｇ、Ｅ−６５ＢＳ（Ｎｏ．１）を３．５ｇ、メチルエチルケトンを３００．０ｇ混合したものを使用した。石膏型１０の冷却後、第一のネット部材２ａおよび第二のネット部材２ｂを石膏型から取り外した。
【００５１】
第三工程として、第一のネット部材２ａの外周線付近全周に、かつら外縁部露見防止用帯状ネット７を取り付ける。まず、頭部形状に成形した第一のネット部材２ａを石膏型１０の形状にあわせて固定した。図９に示す石膏型１０に記入したかつら露見防止用帯状ネット取付線９ｂに沿って、図１０に示すように、第一のネット部材２ａ上にポリエステル製のネットを帯状にしたかつら外縁部露見防止用帯状ネット７を、図１１のように外周線９ａから２ｍｍ突出するように配置し、仮縫製を行なった。次に、第一のネット部材２ａを石膏型１０から取り外し、図１２に示すようにかつら外周線９ａから頭頂部方向の内側１ｍｍの位置に印をつけた第一の縫い目８ａに沿って、第一のネット部材２ａとかつら外縁部露見防止用帯状ネット７を縫製した。最後に仮縫いした糸を取り除いた。
【００５２】
第四工程として、かつら外縁部露見防止用帯状ネット７が縫製された第一のネット部材２ａと第二のネット部材２ｂを一体化してかつらベース１ａを作製する。
まず、頭部形状に成形した第一のネット部材２ａを石膏型１０の形状に合わせて固定した上に、頭部形状に成形した第二のネット部材２ｂを石膏型１０の形状に合わせて固定して、外周線９ａから５ｍｍ突出する位置を仮縫製した。次に、かつら外縁部露見防止用帯状ネット７を縫製した位置と同様に、第一の縫い目８ａに沿って、第一のネット部材２ａと第二のネット部材２ｂを縫製した。続いて、外周線９ａから頭頂部方向の内側２ｃｍの位置に印をつけた第二の縫い目８ｂに沿って、第一のネット部材２ａと第二のネット部材２ｂを縫製した。最後に仮縫いした糸を取り除いた。
【００５３】
第五工程として、かつらベース１の形状を再修正する。まず、かつらベース１ａを石膏型１０の形状にあわせてステープルで固定した。次に、熱硬化性ウレタン樹脂溶液を染み込ませた綿布を、かつらベース１ａ上に叩きながら樹脂を塗布し、１００℃で４時間乾燥させてかつらベース１ａを再付形した。使用した熱硬化性ウレタン樹脂溶液は、日新レジン株式会社製のＥ−６４Ａ（Ｎｏ．１．２．３）を６．５ｇ、Ｅ−６５ＢＳ（Ｎｏ．１）を３．５ｇ、メチルエチルケトンを６００．０ｇ混合したものを使用した。
【００５４】
第六工程として、図１０に示すように、かつらベース１ａの第二のネット部材２ｂの不要部分を取り除く。具体的には、第二のネット部材２ｂは、かつらベースとかつら装着者の自毛とを固定するための、かつら装着止め具などを取り付ける部位に縫製されるネットであるので、第二の縫い目８ｂの頭頂部方向の内側１ｍｍの位置から、頭頂部付近にある第二のネット部材２ｂを切除した。また、外周線９ａに沿って不要な第二のネット部材２ｂを切除した。
【００５５】
また、上記の作製工程では、第一のネット部材２ａの上側に第二のネット部材２ｂを配置するが、第一のネット部材２ａの下側に第二のネット部材２ｂを配置してもよい。しかし、この場合には第二のネット部材２ｂの切除部がかつら装着者の頭皮に接すると、痛みやかゆみを誘発する恐れがあるので、レーステープで切除部を覆うように縫製する。なお、上記レーステープはポリエステル製の幅５ｍｍ、厚さ０．４ｍｍのレーステープを使用するのがよい。
【００５６】
[かつらベースへの毛髪の植設]
最後に、かつらベース１ａに毛髪を植設した。まず、頭部形状雄型に成形したエポキシ樹脂（図示省略）にかつらベース１ａを合わせて、画鋲で固定した。次に、ネットの表面から鉤針を挿入して、ネットを掬い上げた後、鉤針の鉤部に毛髪を引っ掛けて結んだ。
【００５７】
植設する毛髪は、天然毛髪もしくは人工毛髪であり、毛髪の中央部を二つ折りにした折れ部をネットに結びつけることにより植設される。その際、毛髪は、ネットに対し略垂直になる方向性を有するが、これに加え、植設時の力の入れ具合により、ネットに対し水平方向の指向性を備える。このような水平方向の指向性を図７では矢印で表現する。植設の方法としては、公知のひばり結びもしくは巻き結びなどを用いる。
【実施例】
【００５８】
様々なネット部材をかつらベースに採用し、試験を行った。いずれもポリエステル製のネットを使用した。
[実施例１]
実施例１のかつらは、図４（Ａ）に示す第四実施形態のかつらと同様であり、かつらベースを構成するネット部材は、一つの区画が１．５ｃｍ×１．５ｃｍに画成されている。
【００５９】
区画Ｂａ、Ｃｂ、Ｄｃ、Ｅｄ、Ａｂ、Ｂｃ、Ｃｄなどの範囲内にある四角形の網目は一辺が１．５ｍｍ×１．５ｍｍに構成されている。また、それぞれの同一形状の区画の角隅が点接する形で配設されている。
【００６０】
区画Ａａ、Ｂｂ、Ｃｃ、Ｄｄ、Ｃａ、Ｄｂ、Ｅｃなどの範囲内にある八角形の網目は対角線が１．５ｍｍ×１．５ｍｍに構成されている。また、それぞれの画成される同一形状の区画の角隅が点接する形で配設されている。さらに、２列置きの区画間に前後方向に沿った連結部を設けてネット全体を補強している。
【００６１】
[実施例２]
実施例２のかつらは実施例１のかつらと同様であるが、ネット部材として、図２に示す第二実施形態において説明したネット部材２２を使用している。すなわち、四角形の網目パターンの代わりに、対角線が１．５ｍｍ×１．５ｍｍの六角形の網目パターンを有している。
【００６２】
[実施例３]
実施例３のかつらは、実施例１のかつらと同様であるが、ネット部材として、図３に示す第三実施形態において説明したネット部材２３を使用している。すなわち、かつらベースが、四角形、六角形、八角形の網目パターンからなる区画を碁盤目状に構成したネット部材からなる。
【００６３】
[実施例４]
実施例４のかつらは、実施例１のかつらと同様である。ただし、かつらベースを構成するネット部材は、一つの区画が３．０ｃｍ×３．０ｃｍに画成されており、この点のみ実施例１のかつらと相違する。
【００６４】
[比較例１]
１．５ｍｍ×ｌ．５ｍｍの四角形の網目のみからなるネット部材でかつらベースを構成し、かつらを作製した。
【００６５】
[比較例２]
対角線が１．５ｍｍの八角形の網目のみからなるネット部材でかつらベースを構成し、かつらを作製した。
【００６６】
[比較例３]
四角形の網目パターンと八角形の網目パターンとが順に現れるように縞状に区画が構成されたネット部材でかつらベースを構成し、かつらを作製した。各区画の幅は１．５ｃｍである。
【００６７】
[比較例４]
比較例４のかつらは、実施例１のかつらと同様である。ただし、かつらベースを構成するネット部材は、一つの区画が３．５ｃｍ×３．５ｃｍに画成されており、この点のみ実施例１のかつらと相違する。
【００６８】
[伸長回復率および残留ひずみ率の測定]
ＪＩＳの試験に基づいた方法で寸法変化度を測定した。具体的には、特定の負荷を一定時間与え、伸長回復率および残留ひずみ率を測定した。これは、ネットを用いたかつらベースにシワが発生し歪みなどが生じる原因として、頭部にかつらを取り付けるときにかつらベースを繰り返し引っ張ることにより、かつらベースにひずみが生じるためであることから、引っ張りとひずみの関係を調べたものである。
【００６９】
伸長回復率と残留ひずみ率の測定方法は、ＪＩＳ  Ｌ  １０９６にある６．１４．２伸長回復率及び残留ひずみ率（２）Ｂ法（定荷重法）に則って行った。ただし、一部変更し、試験用ネットを１．５ｃｍ×１５ｃｍに切断してネット片を採取し、１．１３ｇの初荷重を加えて行った。なお、網目の編成によっては縦横の向きの伸長回復率と残留ひずみ率とが異なることから、左右方向、および前後方向に切り出したネット片で測定した。
【００７０】
[洗浄試験]
また、かつらベースの洗浄試験を繰り返し行ない、かつらベースの歪みとシワの状態を確認した。具体的には、実施例１〜４、および比較例１〜４のかつらにおける、毛髪を植設する前の、１５ｃｍ×１５ｃｍの大きさのかつらベースを用意し、それぞれについて以下の作業を行った。
まず、容器に水５リットルを注ぎ、その水の中に市販のシャンプー０．５ｇを溶かした後、かつらベースを入れて１分間押し洗いした。次に、別の容器に水５リットルを注ぎ、かつらベースを１分間濯いだ。シャンプーを十分に洗い流すために、このような濯ぎを計２回行った。室温で１時間乾燥した後、かつらベースの歪みとシワの状態を確認し、実施例１〜４および比較例１〜４の形状保持性を検証した。
【００７１】
[試験の結果]
試験の結果を図１３に示す。
伸長回復率が高く、残留ひずみ率が低いほど形状が安定していることを示している。伸長回復率について、実施例１〜４では網目の向きが左右、および前後方向で５０％を超えて安定しているのに対して、比較例１〜４では網目の向きが左右、および前後方向のどちらか一方、もしくは双方で５０％を下回っていることがわかる。
【００７２】
残留ひずみ率について、実施例１〜４では５％以下で残留ひずみが少なく形状が安定しているのに対して、比較例１〜４では比較例３および４の左右方向のネット片を除き、１０％を超えており、残留ひずみが大きくシワが生じやすいことがわかる。
【００７３】
実施例１〜４では、伸長回復率が高く、かつ残留ひずみ率が低いので、洗浄後の状態を見ると、かつらベースにシワや歪みが生じておらず、形状保持性に優れていることがわかる。しかし、比較例１〜４を見ると、洗浄回数を重ねていくことによりかつらベースにシワや歪みが生じてしまい、形状保持性に欠けることがわかる。
【００７４】
また、区画の大きさは１．５ｃｍ×１．５ｃｍ程度が好ましいが、３．０ｃｍ×３．０ｃｍ程度のものであってもほぼ同等の効果を得ることができ、一方、３．５ｃｍ×３．５ｃｍ程度以上になると次第にシワが生じやすくなることがわかる。
【００７５】
以上説明したように、本発明のかつらは、糸の方向の異なる網目パターンが規則的に連接されたネット部材をかつらベースに利用することに着目したものであり、その主旨を逸脱しない範囲内において様々な形態で実施することができる。
【００７６】
例えば、網目の形状は四角形、六角形、八角形に限らず、三角形、五角形などを採用してもよいし、これらを組み合わせてもよい。さらに、隣接する網目パターンの網目形状が同じであっても、その網目向きが異なるもの、例えば隣接する区画が同じ正方形の網目パターン同士であって、互いの糸の角度が４５度違っているものであってもよい。
【００７７】
また、網目パターンの区画は四角形を組み合わせた碁盤目状のみならず、他の形状、例えばサッカーボールの表面のような五角形と六角形の組み合わせなどであってもよい。
【００７８】
また、かつらの部位によって、糸の方向の異なる網目パターンが規則的に連接されたネット部材と通常の単一網目パターンのネット部材とを繋げたり、重ねたりして利用してもよい。さらに、かつらベースは、分け目からネット部材が露見するのを防ぐため、毛髪の分け目に相当する位置に、装着者の頭部形状に成形した人工皮膚を備えることも可能である。
【図面の簡単な説明】
【００７９】
【図１】第一の実施形態に係るかつらの一部を示す拡大平面図である。
【図２】第二の実施形態に係るかつらの一部を示す拡大平面図である。
【図３】第三の実施形態に係るかつらの一部を示す拡大平面図である。
【図４】第四の実施形態に係るかつらの一部を示す拡大平面図である。
【図５】第四の実施形態に係るかつらの一部を示す拡大平面図である。
【図６】第四の実施形態に係るかつらに用いられるネット部材を示し、（Ａ）は拡大写真、（Ｂ）はその説明図である。
【図７】実施形態に係るかつらの一部を示す拡大平面図である。
【図８】実施形態に係るかつらにおける毛髪同士の状態を示す側面図である。
【図９】実施形態のかつらを作製するための石膏型を示す平面図である。
【図１０】実施形態のかつらの作製過程を示す平面図である。
【図１１】図１０の外周線境界付近の拡大図である。
【図１２】外縁部露出防止用帯状ネットを取り付ける工程の説明図である。
【図１３】実施例及び比較例の試験結果を示す表である。
【符号の説明】
【００８０】
１      かつら
１ａ    かつらベース
２      ネット部材
２ａ    第一のネット部材
２ｂ    第二のネット部材
３      ネット編成糸
４      ネット編成糸
５      連結部
６      連結糸
７      外縁部露見防止用帯状ネット
９ａ    外周線
９ｂ    露見防止用帯状ネット取付線
１０    石膏型
２０    弾力的可動範囲
２２    ネット部材
２３    ネット部材
Ｈ      毛髪
Ａａ〜Ｆｆ  区画
【図１】
0005143576.tif 000002
【図２】
0005143576.tif 000003
【図３】
0005143576.tif 000004
【図４】
0005143576.tif 000005
【図５】
0005143576.tif 000006
【図６】
0005143576.tif 000007
【図７】
0005143576.tif 000008
【図８】
0005143576.tif 000009
【図９】
0005143576.tif 000010
【図１０】
0005143576.tif 000011
【図１１】
0005143576.tif 000012
【図１２】
0005143576.tif 000013
【図１３】
0005143576.tif 000014